(57)【特許請求の範囲】
【請求項１】
本体ケース１の内部に、ディスク２が回転自在に収容されており、
本体ケース１の上下壁３・４には、それぞれの略中央部から前側の開放端面５の方向にわたって信号読み書き用の窓孔６が開口されており、
本体ケース１に、窓孔６を開閉するプラスチック製のシャッター７が上下壁３・４の各外表面上で左右方向に摺動自在に装着されているディスクカートリッジにおいて、
本体ケース１の開放端面５の内部に、案内レール１７が左右方向にわたって設けられており、
シャッター７が、本体ケース１の上下壁３・４の各外表面上を摺動する上下板７ａ・７ｂと、この上下板７ａ・７ｂの一端どうしをつないで前記開放端面５上を摺動する背板７ｃと、この背板７ｃの内面から一体に突設されて案内レール１７に沿って左右方向に摺動する左右の抜止め片１３・１３とを有しており、
左右の各抜止め片１３の先端に逆止爪１３ａを互いに上下逆向きに設け、両逆止爪１３ａ・１３ａを前記案内レール１７に前方抜け止め状にそれぞれ係合させてあるディスクカートリッジ。
【請求項２】
シャッター７が、前記背板７ｃの左右方向の略中央部に外方へ膨出状に形成した凸部８と、この凸部８の内面に形成された凹部８ａとを含み、
左右の抜止め片１３が、前記凹部８ａより左右方向外側に位置するように設けられている請求項１記載のディスクカートリッジ。
【発明の詳細な説明】
【０００１】
【発明の属する技術分野】
本発明は、光ディスクや光磁気ディスク等の記録媒体であるディスクが回転自在に収容されているディスクカートリッジに関する。
【０００２】
【従来の技術】
この種のディスクカートリッジに特公平４−５９７０３号公報がある。そこでは、ディスクが収容される本体ケースの上下面に、外部からディスクに対して信号の読み書きが行えるように窓孔を設け、この窓孔が摺動式のシャッターにより開閉されるものとなっている。
【０００３】
【発明が解決しようとする課題】
かかるディスクカートリッジは、本体ケースに対してシャッターを抜け止め状態に摺動案内するために、本体ケースの外表面に案内溝を設け、この案内溝にシャッターに設けた抜止め爪が摺動自在に係合している。しかし、これではシャッターの閉じ状態時にも案内溝の一部が外部に露出状態にあるため、この案内溝が他物と接触して欠損したり、塵埃が溜まり易くて、シャッターの安定かつ円滑な摺動を損なう原因となり、また外観的にも見苦しいという難点があった。
【０００４】
そこで本発明の目的は、本体ケースに対しシャッターを安定かつ円滑に開閉摺動でき、しかも外観上体裁良く取り付けられるディスクカートリッジを提供することにある。本発明の目的は、シャッターのプラスチック成形の容易化を図ることのできるディスクカートリッジを提供することにある。
【０００５】
【課題を解決するための手段】
本発明のディスクカートリッジでは、本体ケース１の内部にディスク２が回転自在に収容され、本体ケース１の上下壁３・４にはそれぞれの略中央部から前側の開放端面５の方向にわたって信号読み書き用の窓孔６が開口されており、本体ケース１に前記窓孔６を開閉するプラスチック製のシャッター７が本体ケース１の上下壁３・４の各外表面上で左右方向に摺動自在に装着されている。
【０００６】
そのうえで本発明は、本体ケース１の前記開放端面５の内部に、案内レール１７を左右方向にわたって設ける。シャッター７は、本体ケース１の上下壁３・４の各外表面上を摺動する上下板７ａ・７ｂと、この上下板７ａ・７ｂの一端どうしをつないで前記開放端面５上を摺動する背板７ｃと、この背板７ｃの左右方向の略中央部に外方へ膨出状に形成した凸部８と、この凸部８の内面に形成された凹部８ａと、前記背板７ｃの内面から一体に突設されて案内レール１７上を左右方向に摺動する左右の抜止め片１３・１３と、左右の各抜止め片１３の先端に設けられて案内レール１７に前方抜け止め状に係合する逆止爪１３ａとを有し、左右の各抜止め片１３・１３が前記凹部８ａより左右方向外側に位置するように設けたものである。
【０００７】
但し、シャッター７は、本体ケース１の上下壁３・４の各外表面上を摺動する上下板７ａ・７ｂと、この上下板７ａ・７ｂの一端どうしをつないで前記開放端面５上を摺動する背板７ｃと、この背板７ｃの内面から一体に突設された左右の抜止め片１３・１３とを有するものとしたうえで、左右の各抜止め片１３・１３の先端に逆止爪１３ａを互いに上下逆向きに設け、両逆止爪１３ａ・１３ａを前記案内レール１７にそれぞれ前方抜け止め状態に係合したものとすることができる。
【０００８】
【作用】
本体ケース１の開放端面５の内部に案内レール１７を設け、この案内レール１７にシャッター７の抜止め片１３が抜け止め状に摺動係合しているので、本体ケース１に対するシャッター７の抜け止め規制と摺動案内とが本体ケース１内で行われ、かかる摺動案内部への塵埃堆積、他物の触れなどから防護できる。
【０００９】
シャッター７の背板７ｃに抜止め片１３を左右に２個設け、この２個の抜止め片１３で案内レール１７に抜け止め状に支持するので、シャッター７は案内レール１７上をがたつきなく安定よく摺動する。左右の抜止め片１３の逆止爪１３ａは互いに上下逆向きに設けてあるので、組み付け性を確保しながら抜け止め効果を向上できる。
【００１０】
背板７ｃに設けた凸部８は、駆動装置に装填したとき該装置側の開閉操作部材と係合し、この係合作用でシャッター７が開かれる。これら凸部８や抜止め片１３を持つ形状のシャッター７は、凸部８の内面に形成される凹部８ａより左右方向外側に左右の抜止め片１３を位置設定することでもって、その金型構造を示す図８のように凸部８の凹部８ａを成形するコアー１０と、抜止め片１３を成形するスライドコアー１８とを組み合わせる簡単なコアー金型でシャッター７を容易にプラスチック成形できる。
【００１１】
【発明の実施の形態】
図１ないし図４において、ディスクカートリッジは、薄型四角形状の本体ケース１の内部に、上下両面に映像・音声・情報等の信号が記録される光ディスク等のディスク２を回転自在に収容する。本体ケース１はプラスチック製の上ケース１ａと下ケース１ｂとを突き合わせて一体的に結合してなる。上ケース１ａの上壁３および下ケース１ｂの下壁４には、それぞれの略中央部から前側の開放端面５に向けて信号読み書き用の窓孔６を開口し、この窓孔６が左右方向に摺動するシャッター７で開閉自在に塞がれている。
【００１２】
図７は上ケース１ａおよび下ケース１ｂの前側部分の構造を示す。上ケース１ａは上壁３とこれの左右端に直角に連設した左右の側壁１２・１２とからなり、上壁３の略中央部から前端の左右方向中央部にわたって前記窓孔６が形成されており、上壁３の内面にディスク２が前方へ遊動するのを規制するための位置規制リブ１４がディスク２の円周に沿う円弧状に一体に突設されている（図２参照）。上壁３の内面の前端には、シャッター７を左右方向に案内するために断面角形の案内レール１７が左右方向の全長にわたって形成されている。窓孔６の前方に対応する上壁３および案内レール１７は、上壁３の外表面３ａより低く落ち込む陥没壁部１５を窓孔６の前方延長方向に合致するよう形成する。この陥没壁部１５は、駆動装置側の信号読み書き用ヘッドが窓孔６に挿入するときのクリアランスを確保するためである。陥没壁部１５には、案内レール１７の内面と連続する案内溝１６を左右方向に形成する。図３に示すごとく陥没壁部１５の案内溝１６より後方部位の上面には平らな凸部１５ｂを形成してある。
【００１３】
下ケース１ｂは上ケース１ａと対称に形成されて、上ケース１ａの窓孔６と正対する窓孔６と、下壁４の外表面４ａより低く落ち込むよう形成されて上ケース１ａの陥没壁部１５の下面側に重合する陥没壁部１５と、上ケース１ａの案内レール１７に正対する案内レール１７と、上ケース１ａ側の位置規制リブ１４の下端に突き合わされる位置規制リブ１４とを有する。これら上下ケース１ａ・１ｂを突き合わせると、図３および図４に示すように両ケース１ａ・１ｂの陥没壁部１５・１５の凸部１５ｂ・１５ｂどうしが重合して、陥没壁部１５・１５の前方部位１５ａ・１５ａ間、および案内レール１７・１７間に空隙Ｓが形成される。
【００１４】
図３および図７においてシャッター７は断面コ字形状に成形されたプラスチック成形品で、上下壁３・４の各窓孔６を塞ぐ程度の大きさを持つ矩形状の上下板７ａ・７ｂと、これら上下板７ａ・７ｂの前端どうしをつなぐ背板７ｃとを有する。背板７ｃの左右方向の略中央部には、断面コの字形の凸部８をこれの内面に凹部８ａが形成されるよう前方へ膨出状に形成するとともに、背板７ｃの内面における凹部８ａより左右方向外側に左右一対の抜止め片１３・１３を一体に突設する。左右の各抜止め片１３の先端に逆止爪１３ａを有し、この各逆止爪１３ａ・１３ａが互いに上下逆向きに設けられている。
【００１５】
シャッター７の射出成形金型構造の概略図を図８に示す。９はシャッター７の背板７ｃの外形を成形する金型、１０は背板７ｃの内面の凹部８ａを成形するコアー、１１はコアー１０にセットしたエジェクターピン、１８は抜止め片１３を成形するスライドコアーで、このスライドコアー１８は左右方向ａ・ｂにスライドする。かかる金型構造から明らかなように背板７ｃの左右一対の抜止め片１３・１３は凸部８の内面の凹部８ａの左右方向外側に設定したので、シンプルなコアー金型構造で足り、また離型が容易に行える。
【００１６】
図６に示すように、シャッター７を窓孔６を閉じる中央の閉じ位置に移動付勢するばね部材として左右２個のねじりコイルばね１９を採用し、また左右２個のスライダー２０を併用する。スライダー２０はＨ形状に形成されて、案内レール１７に嵌合可能な溝部２１ａ・２１ｂを上下に有し、かつ当接片２２を有するとともにばね掛け孔２３を有する。
【００１７】
次に、シャッター７を取り付ける要領について説明する。上下ケース１ａ・１ｂを突き合わせる前工程で、図６に示すごとく左右の各スライダー２０の下側の溝部２１ｂを下ケース１ｂの左右の案内レール１７にそれぞれ嵌め込むとともに、左右の各ねじりコイルばね１９は、一方の腕部１９ａの先端を下ケース１ｂの内面に立設した左右のピン２４にそれぞれ係止し、他方の腕部１９ｂの先端をスライダー２０のばね掛け孔２３に挿入係合させる。その際、左右の各スライダー２０は前記ばね部材１９のばね作用で案内レール１７上をこれの左右方向中央部の方向へ移動付勢されるが、このとき左側のスライダー２０は陥没壁部１５の左端面１５ｃに、右側のスライダー２０は陥没壁部１５の右端面１５ｃにそれぞれ当接するため、当該位置から中央方向へ移動することのないように位置規制される。次いで、図７に示すごとく下ケース１ｂに上ケース１ａを被せるが、このとき上ケース１ａの案内レール１７をスライダー２０の上側の溝部２１ａに嵌め込む。
【００１８】
かくしてシャッター７が取り付けられる。シャッター７は、上下板７ａ・７ｂが上下壁３・４の各外面上に重合するとともに、左右の抜止め片１３・１３の各逆止爪１３ａが陥没壁部１５・１５の凸部１５ｂ・１５ｂ間の空隙Ｓ内に差し込まれるように、本体ケース１にこれの前側方から押し込み嵌合することにより、左右の抜止め片１３・１３の上向きの逆止爪１３ａは上ケース１ａの案内溝１６内の案内レール１７の内面側に、下向きの逆止爪１３ａは下ケース１ｂの案内溝１６内の案内レール１７の内面側にそれぞれ係合し（図３参照）、以てシャッター７が本体ケース１から前方へ抜け出ることのない状態が得られる。またシャッター７の左右の抜止め片１３の各端部に左右の各スライダー２０の当接片２２の各先端が当接する状態が得られ（図１参照）、シャッター７が窓孔６を塞ぐ中央の閉じ位置に保持される。
【００１９】
このシャッター７の取り付け時には、左右の各スライダー２０は前述のように陥没壁部１５の左右端面１５ｃ・１５ｃにそれぞれ当接して位置規制されているので、スライダー２０に邪魔されることなく、またスライダー２０を動かすことなく、シャッター７を容易に取り付けることができる。
【００２０】
このようにシャッター７を取り付けたディスクカートリッジは駆動装置に装填すると、該装置側の開閉操作部材（図示せず）がシャッター７の凸部８に係合し、この係合作用によりシャッター７が窓孔６を塞ぐ中央の閉じ位置から左側壁１２または右側壁１２に近接する位置にまで案内レール１７に沿ってねじりコイルばね１９の力に抗して上下壁３・４の各外表面上を摺動し、以て窓孔６が全開する。その際、シャッター７は抜止め片１３を左右に２個設け、この２個の抜止め片１３で案内レール１７に抜け止め状に支持してあるので、シャッター７は案内レール１７上をがたつくことなく安定よく摺動する。
【００２１】
左右の抜止め片１３の逆止爪１３ａは互いに上下逆向きに設けてある。これに対し、抜止め片１３を単一化し、この単一の抜止め片１３の先端に逆止爪１３ａを上下両向きに、つまり矢印形状に設けることも考えられるが、これではアンダーカット量が大き過ぎるため、前述した組み付け時に空隙Ｓに差し込みにくくなる。その点、左右の抜止め片１３の逆止爪１３ａは互いに上下逆向きに設けてあると、個々のアンダーカット量をできる限り少なくできるため、組み付け時に空隙Ｓに差し込み易くなり、また抜け止め効果を上げることができる。シャッター７に加えた押す力が解除されると、このシャッター７はねじりコイルばね１９の付勢力をスライダー２０を介して受けることで元の中央の閉じ位置に自動的に復帰移動して停止する。
【００２２】
【発明の効果】
本発明によれば、本体ケース１の開放端面５の内部に案内レール１７を設け、この案内レール１７にシャッター７の抜止め片１３を抜け止め状に摺動係合させてある。従って、本体ケース１に対するシャッター７の抜け止め規制と摺動案内とが本体ケース１内で行われ、かかる摺動案内部への塵埃堆積、他物の触れなどから防護できる。シャッター７の背板７ｃに抜止め片１３を左右に２個設け、この２個の抜止め片１３で案内レール１７に抜け止め状に支持してあるので、シャッター７は案内レール１７に沿って左右方向にがたつきなく円滑に安定よく摺動する。左右の抜止め片１３の逆止爪１３ａは互いに上下逆向きに設けてあるので、組み付け性を確保しながら抜け止め効果を向上できる。
【００２３】
開閉用の凸部８および左右の抜止め片１３を持つ形状のシャッター７も、左右の抜止め片１３を凸部８の内面に形成される凹部８ａより左右方向外側に位置設定してあるので、このプラスチック成形に際して凹部８ａを成形するコアー１０と、抜止め片１３を成形するスライドコアー１８とを組み合わせる簡単なコアー金型で容易に安価に成形することができる。
【図面の簡単な説明】
【図１】ディスクカートリッジの前端一部の内部平面図である。
【図２】ディスクカートリッジ全体の平面図である。
【図３】図２におけるＡ−Ａ線拡大断面図である。
【図４】図２におけるＢ−Ｂ線拡大断面図である。
【図５】ディスクカートリッジの前端部の内部平面図である。
【図６】ディスクカートリッジの下ケース前端部の斜視図である。
【図７】ディスクカートリッジの前端部にシャッターを取り付ける直前の状態を示す斜視図である。
【図８】シャッターの成形金型構造の断面図である。
【符号の説明】
１  本体ケース
２  ディスク
３  上壁
４  下壁
５  開放端面
６  窓孔
７  シャッター
７ａ  シャッターの上板
７ｂ  シャッターの下板
７ｃ  シャッターの背板
８  シャッターの凸部
８ａ  シャッターの凹部
１３  抜止め片
１３ａ  逆止爪
１７  案内レール
【図１】
0003547557.tif 000002
【図２】
0003547557.tif 000003
【図３】
0003547557.tif 000004
【図４】
0003547557.tif 000005
【図５】
0003547557.tif 000006
【図６】
0003547557.tif 000007
【図７】
0003547557.tif 000008
【図８】
0003547557.tif 000009